(57)【要約】【課題】カーブする道路等に沿って設けられる湾曲型擁壁を構成するブロックであって、積み上げて構成した湾曲型擁壁の表面に大きな凹凸を残すことなく、又各ブロックの向きが変化しても繋ぎ部に隙間を生じない湾曲型擁壁ブロックの提供。【解決手段】水平な上面７と下面８、及び傾斜した正面４と背面９を有すブロック本体１の一方側には繋ぎ片２を延ばし、該繋ぎ片２の内面５は滑らかな湾曲面を形成し、そしてブロック本体１の反対側には正面４と段差を残して滑らかな表面６を形成した繋ぎ片３を有している。【選択図】　　　　図１
2004019147.tif 000002
【特許請求の範囲】
【請求項１】
カーブする道路等に沿って設けられる湾曲型擁壁を構成するブロックにおいて、水平な上面と下面及び傾斜した正面と背面を有すブロック本体の一方側には繋ぎ片を延ばし、該繋ぎ片の内面は滑らかな湾曲面を形成し、そしてブロック本体の反対側には正面と段差を設けた繋ぎ溝を設けると共に繋ぎ溝の表面は繋ぎ片の内面に馴染むことが出来る滑らかな湾曲面としたことを特徴とする湾曲型擁壁のブロック。
【請求項２】
上記ブロック本体の反対側には繋ぎ片を設け、該繋ぎ片と正面との間に繋ぎ溝を設けた請求項１記載の湾曲型擁壁ブロック。
【請求項３】
カーブする道路等に沿ってブロックを配列・設置して設けられる湾曲型擁壁において、該ブロックは水平な上面と下面及び傾斜した正面と背面を有すブロック本体の一方側には繋ぎ片を延ばし、該繋ぎ片の内面は滑らかな湾曲面を形成し、上記ブロック本体の反対側には正面と段差を設けた繋ぎ溝を設けると共に繋ぎ溝の表面は繋ぎ片の内面に馴染むことが出来る滑らかな湾曲面とし、隣合う左右のブロックは繋ぎ溝に繋ぎ片を嵌め、湾曲している内面と表面が互いに係合することでブロックの向きを変えて連結・配置したことを特徴とする湾曲型擁壁。
【発明の詳細な説明】
【０００１】
【発明の属する技術分野】
本発明はカーブ面（湾曲面）を形成する擁壁及び該湾曲型擁壁を構成するブロックに関するものである。
【０００２】
【従来の技術】
土砂崩れを防止する為に、複数のブロックを積み上げて擁壁を構成する場合は多い。例えば、山岳道路は山に沿って湾曲（カーブ）しているが、上記擁壁も道路に沿って湾曲した形態にしなくてはならない。図６は従来の湾曲型擁壁を示す具体例であり、平坦な擁壁（イ）、（イ）…を所々で屈曲して繋ぐことで全体として湾曲擁壁を構成している。従って、全体が滑らかな湾曲型擁壁とはならない。
【０００３】
又図７は個々のブロック（ロ）、（ロ）…間の隙間を調整することで湾曲型擁壁を構成している。このように、従来のブロック（ロ）はあくまでも平坦な擁壁を対象としたものであり、湾曲型擁壁を施工する場合には、ブロック間にコンクリートを詰める等しなくてはならず、非常に作業工数が嵩むことになる。そして、各ブロック間の間隔が均一でない為に、擁壁の外観は好ましくない。
【０００４】
ところで、左右方向に連続するブロック間に隙間を生じることなく、隙間を塞ぐ作業が不要となって施工性がよく、異なるカーブに対しても同一形状のブロックで柔軟に対処出来る擁壁ブロックが知られている。これは、特開平１１−１２４８６６号に係る「擁壁ブロック」であって、「前壁と後壁と、これらを繋ぐ中梁とで平面略Ｉ字形に形成している。」
【０００５】
そして上記擁壁ブロックは左右及び上下に配列されて湾曲型擁壁が構成されるが、前壁及び後壁の両側端部が互いに重なり合うことになる。平坦な擁壁を構成する場合には重なり部分が左右均一となるが、湾曲型擁壁を構成する場合には重なり部分が変化し、しかも上方程大きく成っている。従って、該ブロックで構成される擁壁の表面は重なり部分が存在する為に、大きな凹凸が表面化している。
【０００６】
そして、上方へ積み重ねられるブロックは半ピッチ分ズレた位置である為に、重なり部分だけでなく、上下の前壁が位置ズレしていることで大きな段差（凹凸）を生じてしまう。さらに、該擁壁ブロックを配列して湾曲型擁壁を構成する場合には、各ブロックの向きが変化する為に重なり合う両側端部には必然的に隙間が発生、この隙間を塞ぐ後処理が必要となる。
【０００７】
【発明が解決しようとする課題】
このように、湾曲型擁壁を構成する従来のブロックには上記のごとき問題がある。本発明が解決しようとする課題はこの問題点であり、同一ブロックを使用して表面に大きな凹凸を残さないで配列・積み上げして構成するブロック及び各ブロックの繋ぎ部に隙間を生じない湾曲型擁壁を提供する。
【０００８】
【課題を解決する為の手段】
本発明に係る擁壁用ブロックは、菱形体のブロック本体正面の一方側には繋ぎ片を突出して設け、反対側には繋ぎ溝を形成している。繋ぎ片の内側は滑らかな湾曲面と成っており、繋ぎ溝の表面も同じく滑らかな湾曲面を呈している。ブロックを左右に配列する場合、繋ぎ片は繋ぎ溝に嵌って間の隙間を無くして連結される。しかも、繋ぎ片の内面及び繋ぎ溝の表面は互いに湾曲している為に、各ブロックを屈曲して配列することが出来るように、上記内面と表面は互いに係合する。ここで、内面及び表面は滑らかな湾曲面を成しているが、湾曲面の曲率はブロックの上部から下部にかけて変化して形成され、所定のカーブに対応出来る。
【０００９】
本発明のブロックは繋ぎ片の内面形状及び繋ぎ溝の表面形状により、凸状湾曲型擁壁を構成したり、逆に凹状湾曲型擁壁を構成することが出来る。ここでブロック本体の形状は限定せず、中央部に大きな空間を形成したり、又は穴を設ける場合があり、該空間や穴にはコンクリートを流し込んで位置ズレしないように固定される。以下、本発明に係る実施例を図面に基づいて詳細に説明する。
【００１０】
【実施例】
図１は本発明に係る擁壁用ブロックを示す実施例である。該ブロックは傾斜面に沿って積み上げ・配列出来るように、上面７及び下面８は水平であるが、正面４及び背面９は斜めに傾斜した概略菱形体を成している。この形態は従来のブロックと同じであるが、本発明のブロックは正面側に繋ぎ片２を一方側へ延ばし、反対側には別の繋ぎ片３を形成している。該繋ぎ片３はブロック本体１の正面４との間に段差を設けて繋ぎ溝２８を有している。
【００１１】
上記繋ぎ片２の表面はブロック本体１の正面４と同一面を成して側方へ延びているが、内面５は滑らかな凹状湾曲面と成っている。又繋ぎ片３はブロック本体１の正面４より段差をもって背面側に設けられ、その表面６は滑らかな凸状湾曲面を呈している。そして、繋ぎ片２の内面曲率半径と繋ぎ片３の表面曲率半径はほぼ同じであり、内面曲率半径の方が表面曲率半径より僅かに大きくなっている。そして上記内面曲率半径及び表面曲率半径はブロック上部から下部にかけて変化し、上部での曲率半径は下部での曲率半径より小さく成っている。
【００１２】
ところで、ブロックを左右に配列する場合、一方のブロック本体１から側方へ延びる繋ぎ片２が他方のブロック本体１の側方へ延びている繋ぎ片３と係合することで、間に隙間が無いように連結される。繋ぎ片３は正面４から背面側に段差を持っていて、一方のブロックの繋ぎ片２が係合することで繋ぎ片２の正面は他方のブロック正面と同一面となる。この場合、凸状湾曲面を形成している表面６には繋ぎ片２の凹状湾曲内面５が当接し、左右のブロックが直線状に配列される場合のみならず、互いに向きを変えて屈曲している場合であっても、繋ぎ片３と繋ぎ片２を一種の継手として連結することが出来る。
【００１３】
図２は本発明のブロックを凸状カーブに沿って配列して構成した湾曲型擁壁を示している。同図では説明の為に３列に積み上げた擁壁を示しているが、左側に積み上げているブロックＡ１、Ａ２…の右側へ延びている繋ぎ片２，２…は中央に積み上げているブロックＢ１、Ｂ２…の繋ぎ片３，３…と係合している。そして中央のブロックＢ１、Ｂ２…の右側へ延びている繋ぎ片２，２…には右側のブロックＣ１、Ｃ２…の繋ぎ片３，３…と係合して連結している。
【００１４】
上記ブロックＡ１、Ａ２…とブロックＢ１、Ｂ２…は屈曲して向きを変え、同じくブロックＢ１、Ｂ２…とブロックＣ１、Ｃ２…も屈曲して向きを変えて配置されている。従って、本体側面１０と繋ぎ片先端１１は当接しないで隙間１２を残している。しかも該隙間１２は上方へ積み上げられているブロック程小さくなっている。
【００１５】
ここで、該ブロックが配列・設置される傾斜面は円柱のごとき外周面ではなく、円錐の外側面に相当している為に、上方程、傾斜面積は小さくなる。従って、繋ぎ片２と繋ぎ片３との接触面積は変化し、図２に示しているように下側では小さく、上方では大きくなっている。その結果、繋ぎ片３の表面６は下程大きく表面化することになって、繋ぎ片先端１１と本体側面１０との間に形成される三角形状の隙間１２が形成され、施工時にはこの隙間１２にコンクリートを流し込んで各ブロックの配列が崩れないように固定される。
【００１６】
ブロック本体１の中央には大きな空間１３が設けられ、又ブロック本体の側方へ延びる側片１４が繋ぎ片３との間に所定の間隔をおいて平行に設けられている。左側のブロックＡ１、Ａ２…と中央のブロックＢ１、Ｂ２…間には上記繋ぎ片３と側片１４によって空間１５が形成され、同じく中央のブロックＢ１、Ｂ２…と右側ブロックＣ１、Ｃ２…との間には繋ぎ片３と側片１４によって空間１５が形成される。そして上記空間１３，１５には生コンクリートが流し込まれ、配列設置される各ブロックが位置ズレしないように固定される。
【００１７】
図３は本発明に係るブロックを示す他の実施例である。このブロックも前記図１に示すブロックと共通していて、繋ぎ片１６の表面はブロック本体１７の正面１８と同一面を成して側方へ延びているが、内面１９は滑らかな凸状湾曲面と成っている。又繋ぎ片２０はブロック本体１の正面１８より段差をもって背面側に設けられ、その表面２１は滑らかな凹状湾曲面を呈している。そして、繋ぎ片１６の内面曲率半径と繋ぎ片２０の表面曲率半径はほぼ同じであり、表面曲率半径の方が内面曲率半径より僅かに大きくなっていて、しかも表面曲率半径及び内面曲率半径はブロック上部から下部にかけて変形している。
【００１８】
ところで、ブロックを左右に配列する場合、一方のブロック本体１７から側方へ延びる繋ぎ片１６が他方のブロック本体１７の側方へ延びている繋ぎ片２０と係合することで、間に隙間が無いように連結される。繋ぎ片２０は正面１８から背面側に段差を持っていて、一方のブロックの繋ぎ片１６が係合することで繋ぎ片表面は他方のブロック正面１８と同一面となる。この場合、繋ぎ片２０の凹状湾曲面を形成している表面２１には繋ぎ片１６の凸状湾曲内面１９が当接し、左右のブロックが直線状に配列される場合のみならず、互いに向きを変えて屈曲している場合であっても、繋ぎ片１６と繋ぎ片２０を一種の継手として隙間なく連結することが出来る。
【００１９】
図４は図３のブロックを用いて凹状カーブに沿って配列して構成した湾曲型擁壁を示している。説明の都合上３列に積み上げた擁壁を示しているが、左側に積み上げているブロックＤ１、Ｄ２…の右側へ延びている繋ぎ片１６，１６…は中央に積み上げているブロックＥ１、Ｅ２…の繋ぎ片２０，２０…と係合している。そして中央のブロックＥ１、Ｅ２…の右側へ延びている繋ぎ片１６，１６…には右側のブロックＦ１、Ｆ２…の繋ぎ片２０，２０…と係合して連結している。
【００２０】
上記ブロックＤ１、Ｄ２…とブロックＥ１、Ｅ２…は屈曲して向きを変え、同じくブロックＥ１、Ｅ２…とブロックＦ１、Ｆ２…も屈曲して向きを変えて配置されている。従って、本体側面２２と繋ぎ片先端２３は当接しないで隙間２４を残している。しかも該隙間２４は上方へ積み上げられているブロック程大きくなっている。
【００２１】
ブロック本体１の中央には大きな空間２５が設けられ、又ブロック本体の側方へ延びる側片２６が繋ぎ片２０との間に所定の間隔をおいて平行に設けられている。左側のブロックＤ１、Ｄ２…と中央のブロックＥ１、Ｅ２…間には上記繋ぎ片２０と側片２６によって空間２７が形成され、同じく中央のブロックＥ１、Ｅ２…と右側ブロックＦ１、Ｆ２…との間には繋ぎ片１６と側片２６によって空間２７が形成される。そして空間２５，２７には生コンクリートが流し込まれ、配列・設置される各ブロックが位置ズレしないように固定される。
【００２２】
図５は前記図１に示したブロックの変形であり、同図に示すようにブロック本体に両繋ぎ片を必ずしも延ばして設ける必要はない。一方の繋ぎ片２が係合することが出来る湾曲表面を形成した繋ぎ溝２８をブロック本体の反対側へ形成すればよい。
【００２３】
以上述べたように、本発明のブロックは菱形体を成すブロック本体から繋ぎ片を側方へ延ばして設け、反対側には該繋ぎ片が係合するように段差をもった繋ぎ溝を形成したものであり、次のような効果を得ることが出来る。
【００２４】
【発明の効果】
本発明のブロックはブロック本体の一方側ヘ繋ぎ片を延ばして設け、反対側には正面との間に段差を形成した繋ぎ溝を有している。そして一方のブロックの繋ぎ片が他方のブロックの繋ぎ溝に嵌って連結される訳であるが、繋ぎ片の内面及び繋ぎ溝の表面は滑らかな湾曲面を成している為に、左右に位置する両ブロックはその向きを変えて隙間なく連結・配置され得る。すなわち、滑らかに湾曲した表面及び内面が係合することでブロックの向きが変化しても隙間が発生することはなく、常に面接触が保たれる。
【００２５】
従って、本発明のブロックを配列・設置することで、道路のカーブに沿って滑らかに湾曲した擁壁を構成することが出来る。カーブは凸状並びに凹状の何れの場合でもよく、隣り合うブロック表面に大きな凹凸を生じることなく配列し、又繋ぎ部の内面及び表面は面接触して隙間の発生はない。そして施工は従来のブロックを用いた平坦な擁壁を構成する場合と同じである。据え付けした後は、位置ズレしないように生コンクリートを流し込んで固定され、面接触を成すことで地震に対しての耐久性も高い。
【図面の簡単な説明】
【図１】本発明に係るブロックを示す実施例。
【図２】図１のブロックを用いて構成される擁壁。
【図３】本発明に係るブロックを示す実施例。
【図４】図３のブロックを用いて構成される擁壁。
【図５】本発明に係るブロックを示す他の実施例。
【図６】従来の湾曲型擁壁。
【図７】従来の湾曲型擁壁。
【符号の説明】
１　ブロック本体
２　繋ぎ片
３　繋ぎ片
４　正面
５　内面
６　表面
７　上面
８　下面
９　背面
１０　本体側面
１１　繋ぎ片先端
１２　隙間
１３　空間
１４　側片
１５　空間
１６　繋ぎ片
１７　ブロック本体
１８　正面
１９　内面
２０　繋ぎ片
２１　表面
２２　本体側面
２３　繋ぎ片先端
２４　隙間
２５　空間
２６　側片
２７　空間
２８　繋ぎ溝
【図１】
2004019147.tif 000003
【図２】
2004019147.tif 000004
【図３】
2004019147.tif 000005
【図４】
2004019147.tif 000006
【図５】
2004019147.tif 000007
【図６】
2004019147.tif 000008
【図７】
2004019147.tif 000009